(57)【特許請求の範囲】
【請求項１】
前側に装飾部が設けられ、所定の範囲を移動可能な演出部材と、
遊技領域の少なくとも一部を構成する遊技領域構成部を有する遊技部材と、
を備え、
前記装飾部は、前記演出部材が所定位置に位置するとき、
少なくとも一部が前記遊技領域構成部の後方で重なる第一の部分と、
前記遊技領域構成部の後面よりも前方に位置する第二の部分と、
を含み、
前記遊技領域構成部は、その少なくとも一部が光透過性を有し、
前記演出部材が前記所定位置に位置するとき、前記第一の部分の少なくとも一部は、当該遊技領域構成部における光透過性を有する部分を通じて視認可能となるように構成され、
前記遊技領域構成部には、流下する遊技球に変化を与える遊技球誘導部が設けられており、
前記演出部材が前記所定位置に位置するとき、前記第一の部分が前記遊技球誘導部に重ならないように構成されていることを特徴とする遊技機。
【請求項２】
前記第一の部分は、前記第二の部分よりも上下または左右方向に幅広であることを特徴とする請求項１に記載の遊技機。
【請求項３】
前記第一の部分は、前記装飾部の一方端側に位置し、
前記装飾部は、その前後方向位置が、前記第一の部分から離れるほど前方となる形状であることを特徴とする請求項１または請求項２に記載の遊技機。
【請求項４】
前記装飾部には、その一方端側から他方端側にかけて複数の光源が設けられており、
前記装飾部の前後方向位置が前方となる前記第一の部分から離れる方向に向かって、または前記装飾部の前後方向位置が後方となる前記第一の部分に近づく方向に向かって、前記光源を順に点灯または消灯させていく演出が実行可能であることを特徴とする請求項３に記載の遊技機。
【発明の詳細な説明】
【技術分野】
【０００１】
本発明は、所定の範囲を移動する演出部材を備える遊技機に関する。
【背景技術】
【０００２】
下記特許文献１等に記載されるように、多くの遊技機は所定の範囲を移動する演出部材（駆動役物）を備える。かかる演出部材は、どの位置に位置するときであっても、遊技球が流下する遊技領域を覆わないように構成される。つまり、演出部材によって、流下する遊技球の動き等が見えなくなってしまうことがないように構成されている。
【先行技術文献】
【特許文献】
【０００３】
【特許文献１】特開２０１４−１７６５６４号公報
【発明の概要】
【発明が解決しようとする課題】
【０００４】
このように、遊技領域によって演出部材の移動範囲が制限される。遊技領域を大きくすればするほど、演出部材の移動範囲として設定することができる領域が小さくなる。
【０００５】
本発明は、所定の範囲を移動する演出部材を備えた遊技機において、遊技領域によって演出部材の移動範囲が制限されてしまうのを抑制することを目的とする。
【課題を解決するための手段】
【０００６】
上記課題を解決するためになされた請求項１の発明にかかる遊技機は、前側に装飾部が設けられ、所定の範囲を移動可能な演出部材と、遊技領域の少なくとも一部を構成する遊技領域構成部を有する遊技部材と、を備え、前記装飾部は、前記演出部材が所定位置に位置するとき、少なくとも一部が前記遊技領域構成部の後方で重なる第一の部分と、前記遊技領域構成部の後面よりも前方に位置する第二の部分と、を含み、 前記遊技領域構成部は、その少なくとも一部が光透過性を有し、前記演出部材が前記所定位置に位置するとき、前記第一の部分の少なくとも一部は、当該遊技領域構成部における光透過性を有する部分を通じて視認可能となるように構成され、前記遊技領域構成部には、流下する遊技球に変化を与える遊技球誘導部が設けられており、前記演出部材が前記所定位置に位置するとき、前記第一の部分が前記遊技球誘導部に重ならないように構成されていることを特徴とする。
【０００８】
請求項２に記載の発明は、請求項１に記載の遊技機において、前記第一の部分は、前記第二の部分よりも上下方向または左右方向に幅広であることを特徴とする。
【０００９】
請求項３に記載の発明は、請求項１または請求項２に記載の遊技機において、前記装飾部は、その前後方向位置が、前記第一の部分から離れるほど前方となる形状であることを特徴とする。
【００１０】
請求項４に記載の発明は、請求項３に記載の遊技機において、前記装飾部には、その一方端側から他方端側にかけて複数の光源が設けられており、前記装飾部の前後方向位置が前方となる前記第一の部分から離れる方向に向かって、または前記装飾部の前後方向位置が後方となる前記第一の部分に近づく方向に向かって、前記光源を順に点灯または消灯させていく演出が実行可能であることを特徴とする。
【発明の効果】
【００１２】
請求項１に記載の発明では、演出部材が所定位置に位置するとき、演出部材の一部である第一の部分の少なくとも一部が、遊技領域構成部の後方に位置する。つまり、演出部材の一部が遊技領域に重なる。したがって、遊技領域によって演出部材の移動範囲が制限されてしまうのを抑制することが可能である。
【００１３】
また、遊技領域構成部は、その少なくとも一部が光透過性を有するため、演出部材が所定位置に位置するときであっても、当該光透過性を有する部分を通じて演出部材の第一の部分を視認することが可能である。
また、演出部材が所定位置に位置するとき、演出部材の第一の部分が遊技球誘導部に重ならないように設定すれば、遊技球誘導部によって演出部材の第一の部分が見えにくくなってしまうのを抑制することが可能である。
【００１４】
請求項２に記載の発明のように、遊技領域に重なる第一の部分を、第二の部分に比して幅広にしてもよい。つまり、遊技領域によって、演出部材の移動範囲が制限されてしまうのを抑制するだけでなく、演出部材の形状が規制されてしまうのを抑制することが可能である。
【００１５】
請求項３に記載の発明のように、装飾部の前後方向位置が、第一の部分が位置する箇所から離れるほど前方となる形状とすれば、第一の部分を遊技領域構成部の後方に位置させることができるような形状としたことにより、装飾部の外観が遊技者に違和感を抱かせるものとなってしまうのを抑制することが可能である。
【００１６】
請求項４に記載の発明のように、装飾部の前後方向位置が、第一の部分が位置する箇所から離れるほど前方となる形状とされていることを巧みに利用し、一方端側から他方端側にかけて、または他方端側から一方端側にかけて、光源を順に点灯または消灯させていく趣向性の高い演出が実行可能にするとよい。
【図面の簡単な説明】
【００１８】
【図１】本発明の一実施形態にかかる遊技機の正面図であり、演出部材が待機位置に位置した状態を示したものである（発射装置（発射ハンドル）等公知の部材は省略）。
【図２】本発明の一実施形態にかかる遊技機の正面図であり、演出部材が進出位置に向かって所定距離移動した状態を示したものである（発射装置（発射ハンドル）等公知の部材は省略）。
【図３】演出部材の側面図（上下方向から見た図）である。
【図４】演出部材内部に設けられた光源を示した模式図である。
【図５】傾斜した形状を有する装飾部を示した模式図である。
【発明を実施するための形態】
【００１９】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００２０】
まず、図１および図２を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００２１】
遊技盤９０には、枠部材１０（本発明における遊技部材に相当する）が固定されている。具体的には、枠部材１０は、遊技盤９０に形成された開口９０１に沿うようにして固定されている。遊技盤９０の一部と、枠部材１０の一部（詳細を後述する遊技領域構成部１１）によって、これらの部材の前側に遊技領域９０２が構成される。
【００２２】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１（枠部材１０の内側）を通じて視認可能である。
【００２３】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２４】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００２５】
本実施形態にかかる遊技機１は、枠部材１０および演出部材２０を備える。枠部材１０は、遊技盤９０に固定される部材であって、遊技領域構成部１１および飾り部１２を有する。遊技領域構成部１１は、遊技盤９０とともに遊技領域９０２を構成する。遊技領域構成部１１は、その少なくとも一部が光透過性を有する材料で形成されている。本実施形態では、遊技領域構成部１１の全体が透明な材料で形成されている。
【００２６】
遊技領域構成部１１は、全体が透明な材料で形成された平面方向に沿う板状の部分１１１と、当該板状の部分１１１の前面に設けられた凸状の部分１１２（本発明における遊技球誘導部に相当する）を含む。凸状の部分１１２は、遊技領域９０２に進入した遊技球の動きに変化を与える。凸状の部分１１２にかえて、または凸状の部分１１２とともに、遊技球の動きに変化を与える部材として、板状の部分１１１の前面に遊技釘等が固定された構成としてもよい。また、板状の部分１１１の内側（表示装置９１側）には、前方に突出した区画部分１１３が設けられている。当該区画部分１１３によって、遊技球が表示装置９１の前側に進入してしまうことが防止されている。
【００２７】
本実施形態における遊技領域構成部１１は、枠部材１０の左上に設けられている。飾り部１２は、表示装置９１を囲むように設けられている。つまり、装飾機能を発揮する部材の一部が遊技領域９０２を構成するということである。なお、本実施形態における枠部材１０は、遊技球が進入可能ないわゆるステージも構成する。
【００２８】
演出部材２０は、所定の範囲を移動可能に設けられたいわゆる駆動役物である。本実施形態における演出部材２０は、幅方向に細長い部材であって、表示装置９１の上側に位置する待機位置（本発明における所定位置に相当する）と、待機位置よりも下方の位置であり、表示装置９１の前側で重なる進出位置との間を往復（スライド）動作可能である。このように演出部材２０を移動させることができるのであれば、その駆動機構はどのような構成であってもよいため、当該駆動機構については説明を省略する。
【００２９】
また、本実施形態では、演出部材２０の下に位置する別の演出部材２０ａが設けられている。当該別の演出部材２０ａも、表示装置９１の上側に位置する待機位置と、待機位置よりも下方の位置であり、表示装置９１の前側で重なる進出位置との間を往復動作可能である。本実施形態では、別の演出部材２０ａが待機位置から下方に移動することで、演出部材２０が待機位置から下方に移動することができる（図２参照）。つまり、別の演出部材２０ａが待機位置に位置しているときは、演出部材２０は待機位置から進出位置に向けて移動することができない。ただし、このような別の演出部材２０ａは設けられていなくてもよい。
【００３０】
演出部材２０の前面には、装飾部２１が形成されている。装飾部２１による具体的な装飾の態様（文字、絵等）はどのようなものであってもよい。演出部材２０の移動は、遊技者からの視点でみれば当該装飾部２１の移動ということとなる。本実施形態における装飾部２１は、次のような形状を有する。
【００３１】
図３に示すように、装飾部２１は、その前後方向における位置が同じではない（フラットではない）。具体的には、相対的に後方に位置する第一の部分２１１と、相対的に前方に位置する第二の部分２１２を含む。演出部材２０全体でみれば、第一の部分２１１が形成された箇所が相対的に薄く、第二の部分２１２が形成された箇所が相対的に厚い形状となっている。本実施形態における装飾部２１は、左側端部に第一の部分２１１が位置し、左側端部（第一の部分２１１）から離れるほど前方となる形状を有する。換言すれば、装飾部２１は、その前後方向位置が、第一の部分２１１側（左側）から第二の部分２１２側（右側）にかけて、前方に変位する形状を有する。演出部材２０全体でみれば、左側端部から離れるほど厚くなる。本実施形態における装飾部２１は、左右方向に並ぶ複数の文字によって構成されており、左の文字から右の文字にかけて階段状に前方に変位する形状となっている。また、図１および図２からわかるように、本実施形態における第一の部分２１１は、第二の部分２１２に比して幅広である（上下方向における長さが第一の部分２１１の方が第二の部分２１２よりも大きい）。
【００３２】
演出部材２０が待機位置に位置するとき、装飾部２１の第一の部分２１１の少なくとも一部は枠部材１０に設けられた遊技領域構成部１１（板状の部分１１１）の後方に位置する（図１および図３参照）。つまり、前後方向において、遊技領域構成部１１と第一の部分２１１の少なくとも一部が重なる。第一の部分２２１が、遊技領域構成部１１の後方のスペースに収納された状態であるともいえる。遊技領域構成部１１は透明である（光透過性を有する）ため、その後方に位置する第一の部分２１１は遊技領域構成部１１を通じて視認できる（遊技領域構成部１１に覆われて見えなくなる、といったことはない）。
【００３３】
また、本実施形態では、待機位置に位置する演出部材２０の第一の部分２１１は、遊技領域構成部１１の凸状の部分１１２に重ならないように（板状の部分１１１における凸状の部分１１２が設けられていない箇所に重なるように）設定されている。本実施形態では、凸状の部分１１２も光透過性を有する材料で形成されているが、凸状の部分１１２が設けられている箇所は凸状の部分１１２が設けられていない箇所に比して光透過性が低下するため、当該凸状の部分１１２に重ならないようにすることが望ましい。したがって、本実施形態では、演出部材２０の第一の部分２１１の一部と凸状の部分１１２が重ならないようにすることにより、演出部材２０が見えにくくなってしまうことを抑制する。流下する遊技球に変化を与える部材として遊技釘が用いられる場合には、当該遊技釘に待機位置に位置する演出部材２０の第一の部分２１１が重ならないようにするとよい。つまり、遊技領域構成部１１に設けられる流下する遊技球に変化を与える部分・部材（上記凸状の部分１１２のように遊技領域構成部１１と一体に成形されるものであってもよいし、遊技釘のように遊技領域構成部１１とは別体であってもよい。また、当該部分・部材が、光透過性を有するか否かは問わない）と、待機位置に位置する演出部材２０が前後方向で重ならないように設定されているとよい。
【００３４】
なお、本実施形態では、第一の部分２１１の前後方向位置は略一定であるが、第一の部分２１１の前後方向位置が一定でない（第一の部分２１１が傾斜している、第一の部分２１１に段差が存在する等）構成としてもよい。
【００３５】
一方、演出部材２０が待機位置に位置するとき、装飾部２１の第二の部分２１２は、遊技領域構成部１１（板状の部分１１１）の後面よりも前方に位置する（図３参照）。つまり、仮に、装飾部２１の第一の部分２１１の前後方向における位置が、装飾部２１の第二の部分２１２の前後方向における位置と同じであった場合、遊技領域構成部１１と演出部材２０（装飾部２１の第一の部分２１１）が干渉するため、演出部材２０が待機位置に位置することができない（遊技領域構成部１１の後方のスペースに第一の部分２１１を収納することができない）ところ、本実施形態では、装飾部２１の第一の部分２１１は、第二の部分２１２よりも後方に位置する（遊技領域構成部１１（板状の部分１１１）の後面よりも後方に位置する）ように設定されているため、演出部材２０は待機位置に位置することができる（遊技領域構成部１１の後方のスペースに第一の部分２１１を収納することができる）。しかも、遊技領域構成部１１が透明な材料（光透過性を有する材料）で形成されているため、演出部材２０が待機位置に位置しているときであっても、遊技者は装飾部２１全体を視認することができる。
【００３６】
別の見方をすれば、演出部材２０が待機位置に位置するとき、演出部材２０の一部である第一の部分２１１の少なくとも一部が遊技領域９０２に重なるため、遊技領域９０２によって演出部材２０の移動範囲が制限されてしまうのを抑制することが可能である。
【００３７】
しかも、遊技領域構成部１１は透明であるため、演出部材２０が待機位置に位置するときに、装飾部２１による装飾作用が遊技領域構成部１１によって妨げられてしまうのを抑制することが可能である。
【００３８】
また、本実施形態における装飾部２１の第一の部分２１１は、第二の部分２１２より上下方向に幅広である（上下方向における長さが大きい）。つまり、遊技領域９０２によって演出部材２０の移動範囲が制限されてしまうのを抑制するだけでなく、演出部材２０の形状が規制されてしまうのを抑制することが可能である。
【００３９】
また、本実施形態における装飾部２１は、その前後方向位置が、第一の部分２１１が位置する箇所から離れるほど前方となる形状を有する。例えば、演出部材２０が待機位置に位置するときに遊技領域構成部１１の後方に位置させるべき装飾部２１の一部のみをその他の部分に比して後方に位置するように（薄くするように）する、といった単純な構成とすると、遊技者が真正面以外の方向から装飾部２１を見たときに、装飾部２１の段差が目立ってしまうおそれがある。本実施形態における装飾部２１は、第一の部分２１１から離れるにつれて徐々に前方に変位するという形状であるため、装飾部２１の外観が遊技者に違和感を抱かせるものとなってしまうのを抑制することが可能である。
【００４０】
以下、上記演出部材２０を用いた演出の一例について説明する。図４に示すように、本実施形態における演出部材２０は複数の光源２２を有する。具体的には、左右方向に並ぶ複数の文字それぞれを光らせる複数の光源２２を有する（一つの文字を光らせるための光源２２は一つであってもよいし、複数であってもよい）。本実施形態にかかる遊技機１（遊技機１が有する演出の制御手段）は、演出部材２０の一方端（左端）側から他方端（右端）側にかけて順に光源２２を点灯または消灯させる演出を実行することができる。また、他方端（右端）側から一方端（左端）側にかけて順に光源２２を点灯または消灯させる演出を実行することができる。
【００４１】
上述したように、本実施形態における演出部材２０の装飾部２１は、左右方向に並ぶ複数の文字によって構成されており、左の文字から右の文字にかけて階段状に前方に変位する形状となっている。このように端から徐々に変位する形状であることを利用して、端から順に光源２２を点灯または消灯させていくことにより、趣向性の高い演出とすることが可能である。つまり、本実施形態にかかる遊技機１は、演出部材２０が待機位置に位置するときに、装飾部２１の一部を遊技領域構成部１１の後方に位置させるため、第一の部分２１１を第二の部分２１２に比して後方に位置する形状としている。また、装飾部２１の外観を遊技者に違和感を抱かせないようなものとするため、装飾部２１の前後方向位置が、第一の部分２１１から離れるほど前方となるように構成している。本実施形態では、装飾部２１がこのような形状であること（演出部材２０の移動範囲が制限されるのを抑制し、装飾部２１の外観の違和感を抑制する形状であること）を演出上巧みに利用し、装飾部２１の一方端側または他方端側から順に光源２２を点灯または消灯させていく制御を実行可能とすることにより、演出の趣向性向上を図っている。
【００４２】
以上、本発明の実施の形態について詳細に説明したが、本発明は上記実施の形態に何ら限定されるものではなく、本発明の要旨を逸脱しない範囲で種々の改変が可能である。
【００４３】
上記実施形態では、遊技盤９０の一部と枠部材１０（本発明における遊技部材に相当する部材）の一部によって遊技領域９０２が構成されていることを説明したが、一の部材によって遊技領域９０２が構成されるものに対しても、同様の技術思想が適用可能である。つまり、遊技領域９０２を構成する部材の一部の後方に、演出部材２０の装飾部２１の一部（第一の部分２１１の少なくとも一部）が重なるように位置することが可能な構成であればよい。例えば、遊技盤９０のみによって遊技領域９０２が構成されるものであってもよい（この場合、遊技盤９０が本発明における遊技部材に相当することとなる。遊技盤９０における第一の部分２１１の少なくとも一部が重なる箇所は、光透過性を有することとなる）。
【００４４】
上記実施形態では、演出部材２０の装飾部２１は、一方端（第一の部分２１１側）から他方端にかけてだんだんと階段状に前方に変位する形状であることを説明したが、図５に示す演出部材２０’のように、一方端（第一の部分２１１’側）から他方端（第二の部分２１２’側）にかけて傾斜する形状としてもよい。このような形状とする場合には、演出部材２０’が所定位置に位置するときに、一方端側に位置する第一の部分２１１’が、遊技領域構成部１１の後方に位置することが可能となるように構成すればよい。つまり、本発明における「装飾部２１は、その前後方向位置が、第一の部分２１１側から離れるにつれて前方となる形状である」とは、上記実施形態のような階段状、図５に示すような傾斜する形状の両方を含む。なお、「傾斜」には、図５に示すような直線状に変位する形状だけでなく、曲線状に変位する形状を含む。
【００４５】
演出部材２０の移動範囲は上記実施形態で説明したものに限定されない。移動範囲内のいずれかの位置において、装飾部２１の一部が遊技領域構成部１１の後方に位置するものであれば同様の技術思想が適用できる。また、移動態様も上記実施形態のようなスライドに限定されない。回転（回動）するもの等にも同様の技術思想が適用できる。また、演出部材２０の第一の部分２１１は、第二の部分２１２より上下方向に幅広であることを説明したが、左右方向（幅方向）に幅広としてもよい。つまり、演出部材２０の移動態様（移動方向等）に応じて、その幅広の方向は適宜変更可能である。
【００４６】
上記実施形態における遊技領域構成部１１は、全部が光透過性を有するものであることを説明したが、一部が光透過性を有する構成としてもよい。つまり、装飾部２１の一部（上記実施形態でいう第一の部分２２１）が遊技領域構成部１１の後方に位置したとき、当該後方に位置する部分の少なくとも一部を視認可能とする構成であればよい。また、遊技領域構成部１１の後方に位置する装飾部２１の一部（上記実施形態でいう第一の部分２２１）が視認不能となることを許容し、遊技領域構成部１１における装飾部２１の一部（上記実施形態でいう第一の部分２２１）に重なりうる部分が光透過性を有しない構成としてもよい。この場合には、装飾部２１の一部が視認不能となることを許容するのであるから、演出部材２０の第一の部分２１１が、遊技領域構成部１１の凸状の部分１１２に重ならないように設定する必要はないこととなる。
【符号の説明】
【００４７】
１  遊技機
１０  枠部材（遊技部材）
１１  遊技領域構成部
１１２  凸状の部分（遊技球誘導部）
２０  演出部材
２１  装飾部
２１１  第一の部分
２１２  第二の部分
２２  光源
９０２  遊技領域
【図１】
0006019349.tif 000002
【図２】
0006019349.tif 000003
【図３】
0006019349.tif 000004
【図４】
0006019349.tif 000005
【図５】
0006019349.tif 000006